(57)【要約】【課題】端子収容室に収容された端子が正常収容位置にあるか否かを確実に検知可能なコネクタ構造を提供すること。【解決手段】コネクタ構造１は、突起１１とランス受け孔１２とを有する円柱状の端子１０と、端子１０を収容する端子収容室２１、ランス受け孔１２と係合可能なランス２２、及び、端子収容室２１を端子挿入方向において分断するように設けられたスペーサ挿入孔２３を備えたハウジング２０と、端子１０が正常収容位置にあるときにスペーサ挿入孔２３の正常挿入位置に収容されて突起１１と係合可能なスペーサ３０とを備える。ハウジング２０は、挿入方向に沿ってスペーサ挿入孔２３を跨ぐように、スペーサ挿入孔２３より挿入方向後方側の位置から前方側の位置まで端子収容室２１に設けられた開口２４であって、端子１０の端子収容室２１への挿入時に突起１１を案内する開口２４を備える。【選択図】図４
2020024873.tif 000002
【特許請求の範囲】
【請求項１】
突起とランス受け孔とを側面に有する円柱状の形状を有する端子と、
前記端子を収容する端子収容室と、前記端子収容室に臨むように設けられて前記端子が正常収容位置にあるときに前記ランス受け孔と係合可能なランスと、前記端子収容室を前記端子の挿入方向において分断するように設けられたスペーサ挿入孔と、を備えたハウジングと、
前記端子が前記正常収容位置にあるときに前記スペーサ挿入孔の正常挿入位置に収容されて前記突起と前記挿入方向に係合可能なスペーサと、
を備えたコネクタ構造であって、
前記ハウジングは、前記挿入方向に沿って前記スペーサ挿入孔を跨ぐように、前記スペーサ挿入孔より前記挿入方向の後方側の位置から前記スペーサ挿入孔より前記挿入方向の前方側の位置まで前記端子収容室に設けられた開口であって、前記端子の前記端子収容室への挿入時に前記突起を案内する開口を備え、
前記端子が前記端子収容室の前記正常収容位置にあるとき、前記突起が前記開口における前記スペーサ挿入孔より前記挿入方向の前方側に位置し、且つ、前記突起が前記スペーサと干渉しないことで前記スペーサが前記正常挿入位置に収容可能であり、
前記端子が前記端子収容室の前記正常収容位置にないとき、前記突起が前記開口における前記スペーサ挿入孔より前記挿入方向の後方側に位置する、又は、前記突起が前記スペーサと干渉することで前記スペーサが前記正常挿入位置に収容不能である、
ように構成されたコネクタ構造。
【請求項２】
請求項１に記載のコネクタ構造において、
前記ハウジングが、複数の前記端子収容室を有する、
コネクタ構造。
【発明の詳細な説明】
【技術分野】
【０００１】
本発明は、コネクタ構造に関する。
【背景技術】
【０００２】
従来から、ハウジングの端子収容室に収容された端子が正常収容位置にあるときに、端子に設けられたランス受け孔とハウジングに設けられたランスとが係合し、且つ、スペーサをハウジングに設けられたスペーサ挿入孔の正常挿入位置に収容することでスペーサと端子とが係合する、所謂２重係止構造を備えたコネクタ構造が広く知られている（例えば、特許文献１を参照）。２重係止構造によれば、端子収容室に収容された端子が正常収容位置から抜け方向（挿入方向の後方側）に移動することが極めて確実に防止され得る。
【０００３】
上記文献に記載のコネクタ構造では、端子として、同軸線の端部に接続された円柱状の形状を有する同軸線用の端子が使用されている。従って、端子収容室内での端子の軸回りの回転によるランス受け孔とランスとの位置ズレが発生し得る。この位置ズレを防止するため、端子の側面に突起（スタビライザとも呼ばれる）が設けられ、端子収容室に端子の挿入方向に沿って溝が設けられ、端子の端子収容室への挿入時に、溝が突起を案内するようになっている。更に、端子が正常収容位置にあるときに、スペーサ挿入孔（スペーサ）より挿入方向の前方側に位置する突起とスペーサとが挿入方向に係合することで、端子の抜け方向への移動が防止されるようになっている。
【先行技術文献】
【特許文献】
【０００４】
【特許文献１】特開２００３−２９７４９３号公報
【発明の概要】
【発明が解決しようとする課題】
【０００５】
ところで、このようなコネクタ構造では、端子収容室に収容された端子が正常収容位置にあるか否かを容易に検知できることが重要である。この点、上記文献に記載のコネクタ構造では、端子が正常収容位置にない場合において、突起がスペーサ挿入孔内に位置する場合には、突起がスペーサに干渉してスペーサが正常挿入位置に収容不能となることで、端子が正常収容位置にないことを検知することができる。しかしながら、端子が正常収容位置にない場合において、突起がスペーサ挿入孔より挿入方向の後方側に位置する場合には、突起がスペーサに干渉せずにスペーサが正常挿入位置に収容可能となる。このため、端子が正常収容位置にないことを検知することができない、という問題があった。
【０００６】
本発明は、上述した事情に鑑みてなされたものであり、その目的は、端子収容室に収容された端子が正常収容位置にあるか否かを確実に検知可能なコネクタ構造を提供することにある。
【課題を解決するための手段】
【０００７】
前述した目的を達成するために、本発明に係るコネクタ構造は、下記（１）及び（２）を特徴としている。
（１）
突起とランス受け孔とを側面に有する円柱状の形状を有する端子と、
前記端子を収容する端子収容室と、前記端子収容室に臨むように設けられて前記端子が正常収容位置にあるときに前記ランス受け孔と係合可能なランスと、前記端子収容室を前記端子の挿入方向において分断するように設けられたスペーサ挿入孔と、を備えたハウジングと、
前記端子が前記正常収容位置にあるときに前記スペーサ挿入孔の正常挿入位置に収容されて前記突起と前記挿入方向に係合可能なスペーサと、
を備えたコネクタ構造であって、
前記ハウジングは、前記挿入方向に沿って前記スペーサ挿入孔を跨ぐように、前記スペーサ挿入孔より前記挿入方向の後方側の位置から前記スペーサ挿入孔より前記挿入方向の前方側の位置まで前記端子収容室に設けられた開口であって、前記端子の前記端子収容室への挿入時に前記突起を案内する開口を備え、
前記端子が前記端子収容室の前記正常収容位置にあるとき、前記突起が前記開口における前記スペーサ挿入孔より前記挿入方向の前方側に位置し、且つ、前記突起が前記スペーサと干渉しないことで前記スペーサが前記正常挿入位置に収容可能であり、
前記端子が前記端子収容室の前記正常収容位置にないとき、前記突起が前記開口における前記スペーサ挿入孔より前記挿入方向の後方側に位置する、又は、前記突起が前記スペーサと干渉することで前記スペーサが前記正常挿入位置に収容不能である、
ように構成されたコネクタ構造であること。
（２）  上記（１）に記載のコネクタ構造において、
前記ハウジングが、複数の前記端子収容室を有する、
コネクタ構造であること。
【０００８】
上記（１）の構成のコネクタ構造によれば、円柱状の形状を有する端子が端子収容室に挿入される際、端子の側面に設けられた突起が端子収容室に設けられた開口に案内されることで、端子収容室内での端子の軸回りの回転によるランス受け孔とランスとの位置ズレが防止される。ここで、開口とは、端子収容室内とハウジング外部とを連通すると共に、ハウジング外部に露出する開口を意味する。
【０００９】
端子が端子収容室の正常収容位置にあるとき、突起が開口におけるスペーサ挿入孔より挿入方向の前方側に位置することで、突起がスペーサと干渉しない。このため、スペーサがスペーサ挿入孔の正常挿入位置に収容可能となる。従って、端子が正常収容位置にあるときに、端子に設けられたランス受け孔と、ハウジングに設けられたランスとが係合し、且つ、端子の側面に設けられた突起と、正常挿入位置に収容されたスペーサとが係合することで、所謂２重係止構造が達成される。
【００１０】
端子が端子収容室の正常収容位置にないときであって、突起がスペーサ挿入孔内に位置する場合には、突起がスペーサに干渉してスペーサが正常挿入位置に収容不能となることで、端子が正常収容位置にないことを検知することができる。
【００１１】
更に、端子が端子収容室の正常収容位置にないときであって、突起が開口におけるスペーサ挿入孔より挿入方向の後方側に位置する場合には、開口から露出している突起が開口におけるスペーサ挿入孔より挿入方向の後方側にあることを、ハウジングの外部から、目視や検知機器（導通ピン等による電気的検査、カメラ等による光学的検査等）により検知することで、端子が正常収容位置にないことを検知することができる。
【００１２】
上記（２）の構成のコネクタ構造によれば、複数の端子収容室の全てについて、開口から露出している突起の位置を目視等によって確認することができる。このため、特に、相手側コネクタ側の態様に起因して複数の端子収容室のうち一部の端子収容室のみに端子が収容されるべき場合において、複数の端子収容室のうち何れの端子収容室の開口から突起が露出しているかを確認することで、端子が収容されるべき端子収容室に端子が収容されているか否かを、ハウジングの外部から確認することができる。
【発明の効果】
【００１３】
本発明によれば、端子収容室に収容された端子が正常収容位置にあるか否かを確実に検知可能なコネクタ構造を提供できる。
【００１４】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１５】
【図１】図１は、本発明の実施形態に係るコネクタ構造に使用される、スペーサが取り付けられたハウジングを示し、図１（ａ）はその斜視図であり、図１（ｂ）はその下面図である。
【図２】図２は、本発明の実施形態に係るコネクタ構造に使用される、同軸線が接続された端子を示し、図２（ａ）はその斜視図であり、図２（ｂ）は図２（ａ）と異なる角度からみた斜視図である。
【図３】図３は、図２に示す端子を図１に示すハウジングの端子収容室に挿入する際の様子を示し、図３（ａ）はその斜視図であり、図３（ｂ）はその側面図であり、図３（ｃ）はその下面図である。
【図４】図４は、端子収容室に収容された端子が正常収容位置にある状態を示し、図４（ａ）はその側面図であり、図４（ｂ）はその挿入方向に沿う主要断面図であり、図４（ｃ）はその下面図である。
【図５】図５は、端子収容室に収容された端子が正常収容位置にない状態を示し、図５（ａ）はその側面図であり、図５（ｂ）はその挿入方向に沿う主要断面図であり、図５（ｃ）はその下面図である。
【発明を実施するための形態】
【００１６】
＜実施形態＞
以下、図面を参照しながら、本発明の実施形態に係るコネクタ構造１について説明する。
【００１７】
図１〜図５に示すように、本発明の実施形態に係るコネクタ構造１は、同軸線４０の端末に接続された端子１０と、端子１０を収容するハウジング２０と、ハウジング２０に取り付けられるスペーサ３０と、を備える。以下、説明の便宜上、ハウジング２０に対する端子１０の挿入方向（以下、単に「挿入方向」と呼ぶこともある）において、相手側コネクタ（図示省略）が嵌合する側（図１において左側）を前方側とし、その反対側（図１において右側）を後方側と呼ぶ。以下、コネクタ構造１を構成する各部品について順に説明する。
【００１８】
先ず、端子１０について説明する。金属製の端子１０は、図２及び図４（ｂ）等に示すように、同軸線４０の端末に接続される端子であり、大略的には、円柱状の形状を有する。端子１０は、典型的には、同軸線４０の内導体（線状の導体）に接続される内導体端子（メス端子）と、内導体端子を収容する誘電体と、誘電体を内装すると共に同軸線４０の外導体（編組）に接続される外導体端子と、で構成される（図示省略）。図２等に示される円筒状の端子１０の外観は、より正確には、端子１０を構成する外導体端子の外観である。
【００１９】
円筒状の端子１０における挿入方向の中央より前方寄りの位置の側面の一側には、図２（ａ）に示すように、同側面から径方向外側に突出する矩形板状の突起（スタビライザ）１１が一体で設けられている。スタビライザ１１は、端子１０のハウジング２０への挿入時に、ハウジング２０の後述する端子収容室２１に設けられた開口２４（図３（ｃ）等参照）に案内されることで、端子収容室２１内での端子１０の軸回りの回転を抑制する機能を有する。
【００２０】
端子１０における挿入方向の前端部近傍の位置（スタビライザ１１より前方側の位置）の一側（スタビライザ１１が設けられる側）と反対の他側には、図２（ｂ）に示すように、ランス受け孔１２が設けられている。ランス受け孔１２は、端子１０のハウジング２０への挿入時に、ハウジング２０に設けられたランス２２（図４（ｂ）参照）と係合することで、端子１０の抜け方向（後方側）への移動を抑制する機能を有する。端子１０は、図３に示すように、スタビライザ１１が下方に位置し且つランス受け孔１２が上方に位置する向きで、ハウジング２０に挿入される。
【００２１】
次に、ハウジング２０について説明する。樹脂製のハウジング２０は、図１，３−５に示すように、大略的には、挿入方向に延びる直方体状の形状を有する。ハウジング２０の内部には、複数（本例では、２つ）の端子１０をそれぞれ収容する複数の端子収容室２１が、幅方向に並ぶように、挿入方向に沿って貫通形成されている（特に、図４−５参照）。
【００２２】
ハウジング２０の内部には、図４（ｂ）及び図５（ｂ）に示すように、端子収容室２１の前端部近傍の上側位置に臨むように、片持ち梁状のランス２２が一体で設けられている。ランス２２は、上述したように、端子１０のハウジング２０への挿入時に、端子１０のランス受け孔１２と係合することで、端子１０の抜け方向（後方側）への移動を抑制する機能を有する。
【００２３】
ハウジング２０の内部には、図１，３−５に示すように、ランス２２が設けられた位置より後方側にて、複数の端子収容室２１を挿入方向において分断するように、且つ、幅方向全域に亘って下方に開口するように、スペーサ挿入孔２３が設けられている。スペーサ挿入孔２３は、後述するように、スペーサ３０が挿入されることで、端子１０の抜け方向（後方側）への移動を抑制する機能を有する。
【００２４】
ハウジング２０の下面には、図１，３−５に示すように、端子収容室２１毎に、挿入方向に沿ってスペーサ挿入孔２３を跨ぐように、スペーサ挿入孔２３より後方側の位置からスペーサ挿入孔２３より前方側の位置まで延びる開口（スリット）２４が、端子収容室２１に設けられている。開口２４は、端子収容室２１内とハウジング２０の外部とを連通すると共に、ハウジング２０の外部に露出している。
【００２５】
開口２４の幅寸法は、端子１０の端子収容室２１への挿入時に端子１０のスタビライザ１１が開口２４に進入可能となるように、スタビライザ１１の幅寸法より若干大きい。開口２４は、上述したように、端子１０の端子収容室２１への挿入時に、開口２４に進入した端子１０のスタビライザ１１を案内することで、端子収容室２１内での端子１０の軸回りの回転を抑制する機能を有する。
【００２６】
端子収容室２１に挿入された端子１０は、開口２４に進入した端子１０のスタビライザ１１が、開口２４の前方側端部（即ち、開口２４におけるスペーサ挿入孔２３より前方側の部分の前方側端部）に当接する位置まで挿入可能である（図４（ｂ）参照）。この位置が「正常収容位置」に相当する。
【００２７】
次に、スペーサ３０について説明する。樹脂製のスペーサ３０は、図１，３−５に示すように、幅方向に延びる底板部３１と、底板部３１の幅方向両側から上方に一体で立ち上がる一対の側板部３２と、からなる。スペーサ３０は、ハウジング２０のスペーサ挿入孔２３に、下方から上方へ向けて挿入することで、ハウジング２０に取り付けられる。
【００２８】
スペーサ３０のスペーサ挿入孔２３への挿入時、スペーサ３０の一対の側板部３２とハウジング２０の一対の側壁とが擦動する箇所に設けられた係止機構（図示省略）によって、スペーサ３０は、スペーサ挿入孔２３の仮係止位置と本係止位置とに係止可能となっている。本係止位置は、スペーサ３０がスペーサ挿入孔２３の最も奥まで（上側まで）挿入される位置である。この位置が「正常挿入位置」に相当する。仮係止位置は、本係止位置より若干下方に移動した位置である。
【００２９】
スペーサ３０が仮係止位置に係止された状態では、端子１０の端子収容室２１への挿入時において、端子１０のスタビライザ１１がスペーサ３０の底板部３１に干渉しない（底板部３１の上方空間を通過可能である）。従って、端子１０は、挿入開始位置から正常収容位置まで挿入可能である。
【００３０】
一方、スペーサ３０が本係止位置に係止された状態では、端子１０のスタビライザ１１がスペーサ３０の底板部３１に干渉する。換言すれば、スタビライザ１１が挿入方向においてスペーサ挿入孔２３内に位置する場合には、スペーサ３０は、仮係止位置から本係止位置まで移動できない一方で、スタビライザ１１が挿入方向においてスペーサ挿入孔２３より前方側又は後方側に位置する場合には、仮係止位置から本係止位置まで移動可能である。以上、コネクタ構造１を構成する各部品について説明した。
【００３１】
次に、端子１０をハウジング２０の端子収容室２１の正常収容位置に収容する際の手順について説明する。先ず、図３に示すように、ハウジング２０に対してスペーサ３０を仮係止位置に係止した状態で、端子１０を、スタビライザ１１が下方に位置し且つランス受け孔１２が上方に位置する向きで、ハウジング２０の後方位置から前方側へ移動させて、端子収容室２１に挿入する。
【００３２】
これにより、スタビライザ１１がスペーサ挿入孔２３より後方側の開口２４に進入開始し、開口２４が、スタビライザ１１を前方側へ案内するようになる。このようにスタビライザ１１が、スペーサ挿入孔２３より後方側の開口２４によって前方側へ案内されながら、端子１０を更に奥まで（前方側に）挿入していくと、スタビライザ１１が、スペーサ挿入孔２３を通り越して、スペーサ挿入孔２３より前方側の開口２４に進入し、開口２４の前方側端部に当接する（図４（ｂ）参照）。即ち、端子１０が正常収容位置に到達する。端子１０が正常収容位置まで到達すると、ハウジング２０のランス２２と端子１０のランス受け孔１２とが係合する（図４（ｂ）参照）。
【００３３】
端子１０が正常収容位置に到達した後、スペーサ３０を仮係止位置から本係止位置へ移動させて、スペーサ３０を本係止位置に収容する。端子１０が正常収容位置に到達した状態では、図４（ｂ）及び図４（ｃ）に示すように、スタビライザ１１がスペーサ挿入孔２３より前方側に位置するため、スペーサ３０が仮係止位置から本係止位置まで移動可能な状態となっている。端子１０が正常収容位置にある状態で、スペーサ３０が仮係止位置から本係止位置へ移動すると、スタビライザ１１の後方側端面とスペーサ３０の底板部３１の前方側端面とが挿入方向において係合するようになる。
【００３４】
このように、端子１０が正常収容位置にあり、且つ、スペーサ３０が本係止位置に収容された状態では、図４（ｂ）に示すように、ハウジング２０のランス２２と端子１０のランス受け孔１２との係合、及び、端子１０のスタビライザ１１とスペーサ３０との係合により、所謂２重係止構造が達成される。このため、端子１０が正常収容位置から抜け方向（後方側）に移動することが極めて確実に防止され得る。
【００３５】
次に、コネクタ構造１において、端子収容室２１に収容された端子１０が正常収容位置にあるか否かを検知する手法について説明する。
【００３６】
上述のように、端子１０が正常収容位置にある状態では、端子１０のスタビライザ１１が、スペーサ挿入孔２３より前方側に位置し、且つ、スペーサ３０が本係止位置に収容可能となっている（図４（ｂ）参照）。従って、開口２４から露出しているスタビライザ１１が開口２４におけるスペーサ挿入孔２３より前方側にあり、且つ、スペーサ３０が本係止位置に収容されていることを、ハウジング２０の外部から、目視や検知機器（導通ピン等による電気的検査、カメラ等による光学的検査等）により検知することによって、端子１０が正常収容位置にあることを検知することができる。
【００３７】
一方、端子１０が正常収容位置にない場合として、スタビライザ１１が挿入方向においてスペーサ挿入孔２３内に位置する場合と、スタビライザ１１が開口２４におけるスペーサ挿入孔２３より後方側に位置する場合と、が想定され得る。
【００３８】
端子１０が正常収容位置になく、且つ、スタビライザ１１が挿入方向においてスペーサ挿入孔２３内に位置する場合、上述のように、スタビライザ１１がスペーサ３０と干渉することで、スペーサ３０が仮係止位置から本係止位置に移動できない。従って、スペーサ３０が本係止位置にないことを、目視や検知機器（導通ピン等による電気的検査、カメラ等による光学的検査等）により検知することによって、端子１０が正常収容位置にないことを検知することができる。
【００３９】
端子１０が正常収容位置になく、且つ、スタビライザ１１が開口２４におけるスペーサ挿入孔２３より後方側に位置する場合、図５に示すように、スペーサ３０が仮係止位置から本係止位置に移動し得、スペーサ３０が本係止位置に収容可能となっている。しかしながら、開口２４から露出しているスタビライザ１１が開口２４におけるスペーサ挿入孔２３より後方側にあることを、目視や検知機器（導通ピン等による電気的検査、カメラ等による光学的検査等）により検知することによって、端子１０が正常収容位置にないことを検知することができる。
【００４０】
以上、本発明の実施形態に係るコネクタ構造１によれば、円柱状の形状を有する端子１０が端子収容室２１に挿入される際、端子１０の側面に設けられたスタビライザ１１が端子収容室２１に設けられた開口２４に案内されることで、端子収容室２１内での端子１０の軸回りの回転によるランス受け孔１２とランス２２との位置ズレが防止される。
【００４１】
端子１０が端子収容室２１の正常収容位置にあるとき、スタビライザ１１が開口２４におけるスペーサ挿入孔２３より前方側に位置することで、スタビライザ１１がスペーサ３０と干渉しない。このため、スペーサ３０がスペーサ挿入孔２３の正常挿入位置に収容可能となる。従って、端子１０が正常収容位置にあるときに、端子１０に設けられたランス受け孔１２と、ハウジング２０に設けられたランス２２とが係合し、且つ、端子１０の側面に設けられたスタビライザ１１と、正常挿入位置に収容されたスペーサ３０とが係合することで、所謂２重係止構造が達成される。
【００４２】
端子１０が端子収容室２１の正常収容位置にないときであって、スタビライザ１１がスペーサ挿入孔２３内に位置する場合には、スタビライザ１１がスペーサ３０に干渉してスペーサ３０が正常挿入位置に収容不能となることで、端子１０が正常収容位置にないことを検知することができる。
【００４３】
更に、端子１０が端子収容室２１の正常収容位置にないときであって、スタビライザ１１が開口２４におけるスペーサ挿入孔２３より後方側に位置する場合には、開口２４から露出しているスタビライザ１１が開口２４におけるスペーサ挿入孔２３より後方側にあることを、ハウジング２０の外部から、目視や検知機器（導通ピン等による電気的検査、カメラ等による光学的検査等）により検知することで、端子１０が正常収容位置にないことを検知することができる。
【００４４】
更に、複数の端子収容室２１の全てについて、開口２４から露出しているスタビライザ１１の位置を目視等によって確認することができる。このため、特に、相手側コネクタ側の態様に起因して複数の端子収容室２１のうち一部の端子収容室２１のみに端子１０が収容されるべき場合において、複数の端子収容室２１のうち何れの端子収容室２１の開口２４からスタビライザ１１が露出しているかを確認することで、端子１０が収容されるべき端子収容室２１に端子１０が収容されているか否かを、ハウジング２０の外部から確認することができる。
【００４５】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４６】
例えば、上記実施形態では、ハウジング２０が、複数の端子収容室２１を有しているが、ハウジング２０が、単一の端子収容室２１を有していてもよい。また、上記実施形態では、端子１０に同軸線４０が接続されているが、端子１０が円柱状の形状を有する限りにおいて、端子１０に同軸線以外の電線が接続されていてもよい。また、上記実施形態において、端子１０はメス端子であるが、端子１０がオス端子であってもよい。
【００４７】
ここで、上述した本発明に係るコネクタ構造１の実施形態の特徴をそれぞれ以下（１）〜（２）に簡潔に纏めて列記する。
（１）
突起（１１）とランス受け孔（１２）とを側面に有する円柱状の形状を有する端子（１０）と、
前記端子（１０）を収容する端子収容室（２１）と、前記端子収容室（２１）に臨むように設けられて前記端子（１０）が正常収容位置にあるときに前記ランス受け孔（１２）と係合可能なランス（２２）と、前記端子収容室（２１）を前記端子（１０）の挿入方向において分断するように設けられたスペーサ挿入孔（２３）と、を備えたハウジング（２０）と、
前記端子（１０）が前記正常収容位置にあるときに前記スペーサ挿入孔（２３）の正常挿入位置に収容されて前記突起（１１）と前記挿入方向に係合可能なスペーサ（３０）と、
を備えたコネクタ構造（１）であって、
前記ハウジング（２０）は、前記挿入方向に沿って前記スペーサ挿入孔（２３）を跨ぐように、前記スペーサ挿入孔（２３）より前記挿入方向の後方側の位置から前記スペーサ挿入孔（２３）より前記挿入方向の前方側の位置まで前記端子収容室（２１）に設けられた開口（２４）であって、前記端子（１０）の前記端子収容室（２１）への挿入時に前記突起（１１）を案内する開口（２４）を備え、
前記端子（１０）が前記端子収容室（２１）の正常収容位置にあるとき、前記突起（１１）が前記開口（２４）における前記スペーサ挿入孔（２３）より前記挿入方向の前方側に位置し、且つ、前記突起（１１）が前記スペーサ（３０）と干渉しないことで前記スペーサ（３０）が前記正常挿入位置に収容可能であり、
前記端子（１０）が前記端子収容室（２１）の正常収容位置にないとき、前記突起（１１）が前記開口（２４）における前記スペーサ挿入孔（２３）より前記挿入方向の後方側に位置する、又は、前記突起（１１）が前記スペーサ（３０）と干渉することで前記スペーサ（３０）が前記正常挿入位置に収容不能である、
ように構成されたコネクタ構造（１）。
（２）  上記（１）に記載のコネクタ構造（１）において、
前記ハウジング（２０）が、複数の前記端子収容室（２１）を有する、
コネクタ構造（１）。
【符号の説明】
【００４８】
１    コネクタ構造
１０  端子
１１  突起（スタビライザ）
１２  ランス受け孔
２０  ハウジング
２１  端子収容室
２２  ランス
２３  スペーサ挿入孔
２４  開口
３０  スペーサ
【図１】
2020024873.tif 000003
【図２】
2020024873.tif 000004
【図３】
2020024873.tif 000005
【図４】
2020024873.tif 000006
【図５】
2020024873.tif 000007